(57)【特許請求の範囲】
【請求項１】
本体部と、
生体情報を検出する生体センサを有し、前記本体部とコネクタを介して着脱可能に構成された生体センサ部と、を備え、
前記生体センサ部は、表面に、前記生体センサの個体ばらつきを補正する補正情報を含む表記を有し、
前記本体部は、前記生体センサにより検出された生体情報を送信する送信手段を有することを特徴とする生体情報取得装置。
【請求項２】
前記生体センサは、温度センサ、又はグルコースセンサであることを特徴とする請求項１に記載の生体情報取得装置。
【請求項３】
前記本体部は、
前記生体センサの個体ばらつきを補正する補正情報を受信する受信手段と、
前記生体情報を、前記受信手段により受信された補正情報に基づいて補正する補正手段と、をさらに有し、
前記送信手段は、前記生体センサにより検出された生体情報に代えて、前記補正手段により補正された補正後の生体情報を送信することを特徴とする請求項１又は２に記載の生体情報取得装置。
【請求項４】
前記生体センサ部は、複数の生体センサを有し、
前記表記は、前記複数の生体センサそれぞれの個体ばらつきを平均化して補正する補正情報を含むことを特徴とする請求項１〜３のいずれか１項に記載の生体情報取得装置。
【請求項５】
請求項１又は２に記載の生体情報取得装置と、前記生体情報取得装置から送信される生体情報を処理して提示する生体情報提示装置と、を備える生体情報計測システムであって、
前記生体情報提示装置は、
前記生体センサの個体ばらつきを補正する補正情報を含む表記を読取り補正情報を取得する取得手段と、
前記生体情報を受信する受信手段と、
前記受信手段により受信された生体情報を、前記取得手段により取得された補正情報に基づいて補正する補正手段と、
前記補正手段により補正された補正後の生体情報を提示する提示手段と、を備える、
ことを特徴とする生体情報計測システム。
【請求項６】
請求項３に記載の生体情報取得装置と、前記生体情報取得装置から送信される生体情報を処理して提示する生体情報提示装置と、を備える生体情報計測システムであって、
前記生体情報提示装置は、
前記生体センサの個体ばらつきを補正する補正情報を含む表記を読取り補正情報を取得する取得手段と、
前記取得手段により取得された補正情報を送信する送信手段と、
補正後の生体情報を受信する受信手段と、
前記受信手段により受信された補正後の生体情報を提示する提示手段と、を備える、
ことを特徴とする生体情報計測システム。
【請求項７】
請求項４に記載の生体情報取得装置と、前記生体情報取得装置から送信される生体情報を処理して提示する生体情報提示装置と、を備える生体情報計測システムであって、
前記生体情報提示装置は、
前記複数の生体センサそれぞれの個体ばらつきを平均化して補正する補正情報を含む表記を読取り補正情報を取得する取得手段と、
前記生体情報を受信する受信手段と、
前記受信手段により受信された複数の生体情報の平均値を、前記取得手段により取得された補正情報に基づいて補正する補正手段と、
前記補正手段により補正された補正後の生体情報を提示する提示手段と、を備える、
ことを特徴とする生体情報計測システム。
【発明の詳細な説明】
【技術分野】
【０００１】
本発明は、生体情報取得装置、及び、該生体情報取得装置を用いた生体情報計測システムに関する。
【背景技術】
【０００２】
近年、健康の管理や維持・増進に対する人々の関心が高まっている。そこでは、人々が、より手軽にかつ精度よく、例えば体温（深部体温）や血中グルコース値（血糖値）などの生体情報を得られることが望まれている。このような、例えば体温や血中グルコース値などの生体情報を取得するためには、体温や血中グルコース値を計測するためのセンサ、例えば温度センサ（サーミスタ）やグルコースセンサなどが用いられる。【０００３】
ところで、通常、センサは、各個体（各センサ）ごとに特性のばらつき（すなわち個体ばらつき）を有している。そのため、生体情報を精度よく計測しようとすると、各センサの個体ばらつきを補正する必要がある。【０００４】
ここで、特許文献１には、水晶振動子個々の温度特性のバラツキ（すなわち個体ばらつき）及び調整時の温度による周波数偏差を吸収できるようにする技術（温度補償水晶発振器の調整装置）が開示されている。【０００５】
より具体的には、この技術では、まず、ドライバー等の調整治具を用いてトリマーを回し、水晶発振器の周波数を規定の周波数に調整する。その際、非接触温度計により水晶振動子の表面温度を測定し、記憶装置にその情報を書き込む。次の工程では、水晶振動子のバーコードに書き込まれている温度特性情報を読み取って、予め格納してある複数パターンの温度補償データの中から最適な温度補償データを抽出する。さらに、調整時に記憶装置に記憶した温度情報を読み出して、２５℃の標準温度における調整との周波数偏差を演算して補正値を求め、その補正値で抽出した温度補償データに補正をかけて記憶装置に書き込む。そして、使用時に、水晶発振器は、サーミスタが検出した温度情報と記憶装置に書き込まれた温度補償データを基に、ソフト的に周波数を制御し、温度補償を行う。
【先行技術文献】
【特許文献】
【０００６】
【特許文献１】特開平１０−３０３６４４号公報
【発明の概要】
【発明が解決しようとする課題】
【０００７】
ところで、生体センサを用いて生体情報を取得する装置では、生体（人体）に接触するセンサ部分は、例えば皮膚の汗や脂などの汚れが付着しやすいため、本体部から分離して、取替え可能（ディスポーサブル式）にしたいという要望がある。【０００８】
しかしながら、上述した特許文献１に記載されている技術のように、個体ばらつき情報（補正情報）を、例えばメモリ（記憶装置）などに記憶させるとした場合、生体センサと該生体センサの個体ばらつき情報（補正情報）を記憶させたメモリとを一緒に取替えることとなり、コストが上昇してしまう。【０００９】
本発明は、上記問題点を解消する為になされたものであり、生体センサ部が取替可能に構成されている生体情報取得装置、及び該生体情報取得装置を用いた生体情報計測システムにおいて、取替可能な生体センサ部のコストを増大させることなく、取替えられた生体センサ部の個体ばらつきを補正して、精度よく生体情報を計測することが可能な生体情報取得装置、及び、該生体情報取得装置を用いた生体情報計測システムを提供することを目的とする。
【課題を解決するための手段】
【００１０】
本発明に係る生体情報取得装置は、本体部と、生体情報を検出する生体センサを有し、本体部と分離して取替可能に構成された生体センサ部とを備え、生体センサ部が、生体センサの個体ばらつきを補正する補正情報を含む表記を有し、本体部が、生体センサにより検出された生体情報を送信する送信手段を有することを特徴とする。【００１１】
本発明に係る生体情報取得装置によれば、本体部と、生体情報を検出する生体センサを有し、本体部と分離して取替可能に構成された生体センサ部とを備え、該生体センサ部が、生体センサの個体ばらつきを補正する補正情報を含む表記を有し、本体部が、生体センサにより検出された生体情報を送信する送信手段を有している。そのため、例えば、上記表記を読取ることにより、生体センサの個体ばらつきを補正する補正情報を得ることができる。そして、送信された生体情報を受信するとともに、該生体情報を、上記補正情報を用いて補正することにより、個体ばらつきが除去された生体情報を得ることができる。このように、本体部と分離して取替可能に構成された生体センサ部に、補正情報を含む表記を付すことにより（すなわち、補正情報を記憶するためのメモリ等を備えることなく）、取替えられる生体センサ部の個体ばらつきを補正することが可能となる。その結果、取替可能な生体センサ部のコストを増大させることなく、取替えられた生体センサ部の個体ばらつきを補正して、精度よく生体情報を計測することが可能となる。【００１２】
本発明に係る生体情報取得装置では、上記生体センサが、温度センサ、又はグルコースセンサであることが好ましい。【００１３】
この場合、上記生体センサとして、温度センサ、又はグルコースセンサが用いられるため、生体の温度、又はグルコース値を精度よく取得することが可能となる。【００１４】
本発明に係る生体情報取得装置では、本体部が、生体センサの個体ばらつきを補正する補正情報を受信する受信手段と、生体情報を、受信手段により受信された補正情報に基づいて補正する補正手段とをさらに有し、送信手段が、生体センサにより検出された生体情報に代えて、補正手段により補正された補正後の生体情報を送信することが好ましい。【００１５】
この場合、本体部が、生体センサの個体ばらつきを補正する補正情報を受信する受信手段と、生体情報を、受信手段により受信された補正情報に基づいて補正する補正手段とをさらに有し、送信手段が、生体センサにより検出された生体情報に代えて、補正手段により補正された補正後の生体情報を送信する。そのため、例えば、上記表記を読取ることにより得られた補正情報を送信してもらうことにより、補正情報を得ることができる。また、生体情報を、上記補正情報を用いて補正することにより、個体ばらつきが除去された生体情報を得ることができる。この場合も、本体部と分離して取替可能に構成された生体センサ部に、補正情報を含む表記を付すことにより（すなわち、補正情報を記憶するためのメモリ等を備えることなく）、取替えられる生体センサ部の個体ばらつきを補正することが可能となる。よって、取替可能な生体センサ部のコストを増大させることなく、取替えられた生体センサ部の個体ばらつきを補正して、精度よく生体情報を計測することが可能となる。【００１６】
本発明に係る生体情報取得装置では、生体センサ部が、複数の生体センサを有し、表記が、複数の生体センサそれぞれの個体ばらつきを平均化して補正する補正情報を含むことが好ましい。【００１７】
この場合、生体センサ部が、複数の生体センサを有し、上記表記が、複数の生体センサそれぞれの個体ばらつきを平均化して補正する補正情報を含んでいる。そのため、複数の生体センサにより取得された生体情報を平均化することで、例えば、突発的なノイズ入力やＡＤコンバータによるサンプリング誤差（影響）を低減することができ、かつ、複数の生体センサそれぞれの個体ばらつきを平均化して補正することで、より効率よく（すなわち表記に含ませる情報量を増大させることなく）、複数の生体センサの個体ばらつきを補正することが可能となる。【００１８】
本発明に係る生体情報計測システムは、上記生体情報取得装置と、該生体情報取得装置から送信される生体情報を処理して提示する生体情報提示装置とを備える生体情報計測システムであって、生体情報提示装置が、生体センサの個体ばらつきを補正する補正情報を含む表記を読取り補正情報を取得する取得手段と、生体情報を受信する受信手段と、受信手段により受信された生体情報を、取得手段により取得された補正情報に基づいて補正する補正手段と、補正手段により補正された補正後の生体情報を提示する提示手段とを備えることを特徴とする。【００１９】
本発明に係る生体情報計測システムによれば、上記生体情報取得装置と、該生体情報取得装置から送信される生体情報を処理して提示する生体情報提示装置とを備えており、生体情報提示装置が、生体センサの個体ばらつきを補正する補正情報を含む表記を読取り補正情報を取得する取得手段と、生体情報を受信する受信手段と、受信手段により受信された生体情報を、取得手段により取得された補正情報に基づいて補正する補正手段と、補正手段により補正された補正後の生体情報を提示する提示手段とを備えている。そのため、上記表記を読取ることにより、生体センサの個体ばらつきを補正する補正情報を得ることができる。そして、送信された生体情報を受信するとともに、該生体情報を、上記補正情報を用いて補正することにより、個体ばらつきが補正（除去）された生体情報を得ることができる。このように、本体部と分離して取替可能に構成された生体センサ部に、補正情報を含む表記を付すことにより（すなわち、補正情報を記憶するためのメモリ等を備えることなく）、取替えられる生体センサ部の個体ばらつきを補正することが可能となる。その結果、取替可能な生体センサ部のコストを増大させることなく、取替えられた生体センサ部の個体ばらつきを補正して、精度よく生体情報を計測することが可能となる。【００２０】
本発明に係る生体情報計測システムは、上記生体情報取得装置と、該生体情報取得装置から送信される生体情報を処理して提示する生体情報提示装置とを備える生体情報計測システムであって、生体情報提示装置が、生体センサの個体ばらつきを補正する補正情報を含む表記を読取り補正情報を取得する取得手段と、取得手段により取得された補正情報を送信する送信手段と、補正後の生体情報を受信する受信手段と、受信手段により受信された補正後の生体情報を提示する提示手段とを備えることを特徴とする。【００２１】
本発明に係る生体情報計測システムによれば、上記生体情報取得装置と、生体情報取得装置から送信される生体情報を処理して提示する生体情報提示装置とを備えており、生体情報提示装置が、生体センサの個体ばらつきを補正する補正情報を含む表記を読取り補正情報を取得する取得手段と、取得手段により取得された補正情報を送信する送信手段と、補正後の生体情報を受信する受信手段と、受信手段により受信された補正後の生体情報を提示する提示手段とを備えている。そのため、上記表記を読取ることにより得られた補正情報を生体情報取得装置に送信することにより、生体情報取得装置側で個体ばらつきが補正（除去）された生体情報を得ることができる。この場合も、本体部と分離して取替可能に構成された生体センサ部に、補正情報を含む表記を付すことにより（すなわち、補正情報を記憶するためのメモリ等を備えることなく）、取替えられる生体センサ部の個体ばらつきを補正することが可能となる。よって、取替可能な生体センサ部のコストを増大させることなく、取替えられた生体センサ部の個体ばらつきを補正して、精度よく生体情報を計測することが可能となる。【００２２】
本発明に係る生体情報計測システムは、上記生体情報取得装置と、該生体情報取得装置から送信される生体情報を処理して提示する生体情報提示装置とを備える生体情報計測システムであって、生体情報提示装置が、複数の生体センサそれぞれの個体ばらつきを平均化して補正する補正情報を含む表記を読取り補正情報を取得する取得手段と、生体情報を受信する受信手段と、受信手段により受信された複数の生体情報の平均値を、取得手段により取得された補正情報に基づいて補正する補正手段と、補正手段により補正された補正後の生体情報を提示する提示手段とを備えることを特徴とする。【００２３】
本発明に係る生体情報計測システムによれば、上記生体情報取得装置と、該生体情報取得装置から送信される生体情報を処理して提示する生体情報提示装置とを備えており、生体情報提示装置が、複数の生体センサそれぞれの個体ばらつきを平均化して補正する補正情報を含む表記を読取り補正情報を取得する取得手段と、生体情報を受信する受信手段と、受信手段により受信された複数の生体情報の平均値を、取得手段により取得された補正情報に基づいて補正する補正手段と、補正手段により補正された補正後の生体情報を提示する提示手段とを備えている。そのため、上記表記を読取ることにより、複数の生体センサそれぞれの個体ばらつきを平均化して補正する補正情報を得ることができる。そして、送信された複数の生体情報を受信するとともに、該複数の生体情報を平均化し、上記補正情報を用いて補正することにより、例えば、突発的なノイズ入力やＡＤコンバータによるサンプリング誤差（影響）を低減することができ、かつ、複数の生体センサそれぞれの個体ばらつきを平均化して補正することで、より効率よく（すなわち表記に含ませる情報量を増大させることなく）、複数の生体センサそれぞれの個体ばらつきが補正（除去）された生体情報を得ることができる。このように、本体部と分離して取替可能に構成された生体センサ部に、補正情報を含む表記を付すことにより（すなわち、補正情報を記憶するためのメモリ等を備えることなく）、取替えられる生体センサ部の個体ばらつきを補正することが可能となる。その結果、取替可能な生体センサ部のコストを増大させることなく、取替えられた生体センサ部の個体ばらつきを補正して、より精度よく生体情報を計測することが可能となる。
【発明の効果】
【００２４】
本発明によれば、生体センサ部が取替可能に構成されている生体情報取得装置及び該生体情報取得装置を用いた生体情報計測システムにおいて、取替可能な生体センサ部のコストを増大させることなく、取替えられた生体センサ部の個体ばらつきを補正して、精度よく生体情報を計測することが可能となる。
【図面の簡単な説明】
【００２５】
【図１】第１実施形態に係る生体情報計測システムの全体構成を示すブロック図である。
【図２】サーミスタの温度特性（出力特性）と補正情報（オフセット情報）との関係を説明するための図である。
【図３】第１実施形態に係る生体情報計測システムによる生体情報（体温）計測処理の処理手順を示すフローチャートである。
【図４】第２実施形態に係る生体情報計測システムの全体構成を示すブロック図である。
【図５】第３実施形態に係る生体情報計測システムの全体構成を示すブロック図である。
【図６】第４実施形態に係る生体情報計測システムの全体構成を示すブロック図である。
【図７】第４実施形態に係る生体情報計測システムによる生体情報（体温）計測処理の処理手順を示すフローチャートである。
【発明を実施するための形態】
【００２６】
以下、図面を参照して本発明の好適な実施形態について詳細に説明する。なお、図中、同一又は相当部分には同一符号を用いることとする。また、各図において、同一要素には同一符号を付して重複する説明を省略する。
【００２７】
（第１実施形態）
まず、図１を用いて、第１実施形態に係る生体情報計測システム１の構成について説明する。図１は、生体情報計測システム１の全体構成を示すブロック図である。なお、本実施形態では、生体情報として生体の温度（すなわち体温）を計測する場合を例にして説明する。
【００２８】
生体情報計測システム１は、生体情報（本実施形態では体温）を計測するものである。生体情報計測システム１は、温度センサ１１１Ａ，１１１Ｂを搭載した生体センサ部１１１を、取替え可能な構造とすることにより、本体部１１２をリユースできる構成とされている。特に、生体情報計測システム１は、取替可能な生体センサ部１１１のコストを増大させることなく、取替えられた生体センサ部１１１に取り付けられた生体センサ１１１Ａ，１１１Ｂの個体ばらつきを補正して、精度よく体温（生体情報）を計測する機能を有している。
【００２９】
そのため、生体情報計測システム１は、生体情報取得装置１１と、生体情報取得装置１１から送信される生体情報を処理して提示する生体情報提示装置１２とを備えている。
【００３０】
生体情報計測システム１を構成する生体情報取得装置１１は、生体センサ部１１１（ディスポーサブル部）と、本体部１１２とを有して構成されている。ここで、生体センサ部１１１は、主として、温度センサ１１１Ａ，１１１Ｂと、表記１１１２（ＱＲコード（登録商標）、及び／又は１６進数で表した英数字等）とを有して構成されている。
【００３１】
また、本体部１１２は、主として、ＭＣＵ（Ｍｉｃｒｏ  Ｃｏｎｔｒｏｌ  Ｕｎｉｔ）１１２１、無線通信モジュール１１２２、及びバッテリ１１２３等を有して構成されている。
【００３２】
一方、生体情報計測システム１を構成する生体情報提示装置１２は、主として、取得部１２１、無線通信モジュール１２２、補正・変換部１２３、及び、提示部１２４を有して構成されている。以下、各構成要素について詳細に説明する。
【００３３】
まず、生体情報取得装置１１は、本体部１１２と、温度情報を検出する温度センサ１１１Ａ，１１１Ｂ（請求の範囲に記載の生体センサに相当）を有し、本体部１１２と分離して取替可能に構成された温度センサ部１１１（ディスポーサブル部）とを備えている。
【００３４】
生体センサ部１１１は、主として、例えば可撓性を有する帯状に形成されたフレキシブル基板（フィルム基板）１１１１と、フレキシブル基板１１１１の先端部に取り付けられた２個（２ｃｈ）の温度センサ１１１Ａ，１１１Ｂと、フレキシブル基板１１１１の基端部に取り付けられたコネクタ１１１３を含んで構成されている。生体センサ部１１１は、コネクタ１１１３を挿抜することにより、本体部１１２に着脱可能に取り付けられている。なお、温度センサ１１１Ａ，１１１Ｂが取り付けられるフレキシブル基板１１１１の形状は、帯状には限られない。また、温度センサ１１１Ａ，１１１Ｂの数は、２個に限られることなく、１個でも、３個以上であってもよい。
【００３５】
ここで、温度センサ１１１Ａ，１１１Ｂとしては、例えば、温度によって抵抗値が変化するサーミスタや測温抵抗体などが好適に用いられる。なお、温度センサ１１１Ａ，１１１Ｂは、応答性を高める観点から、できるだけ熱容量が小さいことが好ましい。よって、温度センサ１１１Ａ，１１１Ｂとしては例えばチップサーミスタが好適に用いられる。温度センサ１１１Ａ，１１１Ｂそれぞれは、プリント配線１１１４、及びコネクタ１１１３を介して、本体部１１２（ＭＣＵ１１２１）と電気的に接続されており、生体の温度に応じた電気信号（電圧値）が本体部１１２（ＭＣＵ１１２１）で読み込まれる。
【００３６】
また、交換可能な生体センサ部１１１の表面には、温度センサ１１１Ａ，１１１Ｂそれぞれの個体ばらつき（特性ばらつき）を補正する補正情報を含む表記１１１２が印刷（印字）されている。ここで、上記表記１１１２としては、例えば、バーコード、ＱＲコード（登録商標）、補正情報を１６進数（英数字）で表したものなどが好適に用いられる。より具体的には、例えば、温度センサ（サーミスタ）１１１Ａ，１１１Ｂそれぞれのオフセット電圧を６４段階の分解能で補正する場合、１つ（１ｃｈ）の温度センサ１１１Ａ（１１１Ｂ）の補正情報を６ｂｉｔのデータで表現することができる。よって、２個（２ｃｈ）の温度センサ１１１Ａ，１１１Ｂの補正情報を１２ｂｉｔのデータとし、当該データをコード化したＱＲコード（登録商標）や、当該データを１６進数で表した英数字を表記１１１２とすることができる。
【００３７】
ここで、例えば、温度センサ１１１Ａ，１１１Ｂの出力範囲を０〜３．０（Ｖ）とし、オフセット電圧（補正値）の最大値を０．３（Ｖ）とし、かつ、上位６ｂｉｔを温度センサ１１１Ａ（ｃｈ１）の補正情報とし、下位６ｂｉｔを温度センサ１１１Ｂ（ｃｈ２）の補正情報とした１２ｂｉｔ長の補正情報を、例えば、０１０１  １０１０  １１００（Ｂ）、すなわち５ＡＣ（Ｈ）とした場合、温度センサ１１１Ａ（ｃｈ１）の補正データは、０１０１１０（Ｂ）＝２２であるので、オフセット電圧（補正値）は、０．３００／２２＝０．０１３６（Ｖ）となる。一方、温度センサ１１１Ｂ（ｃｈ２）の補正データは、１０１１００（Ｂ）＝４４であるので、オフセット電圧（補正値）は、０．３００／４４＝０．００６８２（Ｖ）となる。
【００３８】
なお、ＱＲコード（登録商標）などの表記１１１２は、例えば、印字、印刷、ラベル貼り付け、銅箔パターンなどの方法を用いて表記することが好ましい。ここで、印字、印刷、ラベル貼り付けによる場合には、例えばカメラ等での取り込みが容易となる（すなわち、色やインクの種類を選択できるため、基板とのコントラストが得られやすく、誤認識が発生しにくい）。一方、銅箔パターンによる場合には、基板製造時に当該パターンを形成できるので、表記のための特別なコストが不要となり、安価に製造できる。
【００３９】
上述したように、温度センサ１１１Ａ，１１１Ｂは、コネクタ１１１３を介して、本体部１１２に接続されており、温度センサ１１１Ａ，１１１Ｂから出力された検出信号は本体部１１２に入力される。本体部１１２は、温度センサ１１１Ａ，１１１Ｂから出力される検出信号（アナログ信号）をデジタル情報に変換して生体情報提示装置１２に送信する。そのため、本体部１１２は、上述したように、主として、ＭＣＵ１１２１、無線通信モジュール１１２２、及びバッテリ１１２３等を有して構成されている。
【００４０】
ＭＣＵ１１２１は、ＡＤコンバータ１１２Ａ，１１２Ｂ、及び演算処理部等を有して構成されている。ＡＤコンバータ１１２Ａは、温度センサ１１１Ａから入力された入力信号（入力電圧）をデジタル情報に変換する。同様に、ＡＤコンバータ１１２Ｂは、温度センサ１１１Ｂから入力された入力信号（入力電圧）をデジタル情報に変換する。なお、ＡＤ変換された温度情報（デジタル情報に変換された電圧情報）は、無線通信モジュール１１２２に出力される。
【００４１】
無線通信モジュール１１２２は、温度センサ１１１Ａ，１１１Ｂにより検出され、ＡＤ変換された温度情報を外部の生体情報提示装置１２に送信する。無線通信モジュール１１２２は、請求の範囲に記載の送信手段及び受信手段として機能する。ここで、無線通信モジュール１１２２は、例えば１３．５６ＭＨｚなどの交流電磁界、又はＢＴ（Ｂｌｕｅｔｏｏｔｈ（登録商標））などの無線を経由して、生体情報提示装置１２に温度情報を送信する。
【００４２】
また、本体部１１２には、その内部に、薄型のバッテリ１１２３が収納さえている。バッテリ１１２３は、ＭＣＵ１１２１や無線通信モジュール１１２２などに電力を供給する。
【００４３】
生体情報計測システム１を構成する生体情報提示装置１２は、生体情報取得装置１１から送信された温度情報を受信するとともに、上述した温度センサ１１１Ａ，１１１Ｂの固体ばらつき補正情報を読取ることで、温度センサ１１１Ａ，１１１Ｂの固体ばらつきを補正した上で、体温を表示する。そのため、生体情報提示装置１２は、上述したように、主として、取得部１２１、無線通信モジュール１２２、補正・変換部１２３、及び提示部１２４を有して構成されている。なお、生体情報提示装置１２としては、例えばスマートフォン等のデータ端末を好適に用いることができる。
【００４４】
ここで、生体情報提示装置１２は、演算を行うマイクロプロセッサ、該マイクロプロセッサに各処理を実行させるためのプログラム等を記憶するＲＯＭ、演算結果などの各種データを記憶するＲＡＭ、バッテリ等によってその記憶内容が保持されるバックアップＲＡＭ、及び入出力Ｉ／Ｆ等を有して構成されている。また、生体情報提示装置１２は、ＱＲコード（登録商標）等の表記１１１２を読取るためのカメラ（図示省略）等を備えている。生体情報提示装置１２では、ＲＯＭ等に記憶されているプログラムがマイクロプロセッサによって実行されることにより、上記取得部１２１、及び補正・変換部１２３等の各機能が実現される。
【００４５】
取得部１２１は、温度センサ１１１Ａ，１１１Ｂそれぞれの個体ばらつきを補正する補正情報を含む表記１１１２を読取り補正情報を取得する。すなわち、取得部１２１は、請求の範囲に記載の取得手段として機能する。より具体的には、取得部１２１は、生体センサ部１１１の表記１１１２（ＱＲコード（登録商標）など）を、例えば内蔵のカメラで撮像して、その、画像を解析（認識）し、補正情報を読取る。なお、取得部１２１により読み取られた補正情報は、補正・変換部１２３に出力される。
【００４６】
無線通信モジュール１２２は、生体情報取得部１１（無線通信モジュール１１２２）から送信された温度情報を受信する。ここで、無線通信モジュール１２２は、例えば１３．５６ＭＨｚなどの交流電磁界、又はＢＴ（Ｂｌｕｅｔｏｏｔｈ（登録商標））などの無線を経由して、生体情報取得装置１１から温度情報を受信する。無線通信モジュール１２２は、請求の範囲に記載の送信手段及び受信手段として機能する。なお、無線通信モジュール１２２により受信された温度情報は、補正・変換部１２３に出力される。
【００４７】
補正・変換部１２３は、無線通信モジュール１２２により受信された温度情報を、取得部１２１により取得された補正情報に基づいて補正する。そして、補正・変換部１２３は、取得した補正後の温度情報（電圧情報）を体温データに変換する。すなわち、補正・変換部１２３は、請求の範囲に記載の補正手段として機能する。
【００４８】
ここで、サーミスタ（温度センサ１１１Ａ，１１１Ｂ）の温度特性（出力特性）と補正情報（オフセット情報）との関係を図２に示す。図２の横軸は温度（体温）（℃）であり、縦軸はサーミスタ（温度センサ１１１Ａ，１１１Ｂ）の出力電圧（分圧値）である。また、図２では、基準となるセンサ出力特性（補正値がゼロの特性）を実線で示し、実際のセンサ出力特性（オフセットを有するセンサ特性）を破線で示した。
【００４９】
ここで、例えば、温度センサ１１１Ａ，１１１Ｂの出力範囲を０〜３．０（Ｖ）とし、オフセット電圧（補正値）の最大値を０．３（Ｖ）とした場合、上述した例のとき（すなわち、補正情報が５ＡＣ（Ｈ）のとき）には、温度センサ１１１Ａ（Ｃｈ１）の補正データは、０１０１１０（Ｂ）＝２２であるので、オフセット電圧（補正値）は、０．３００／２２＝０．０１３６（Ｖ）となる。一方、温度センサ１１１Ｂ（Ｃｈ２）の補正データは、１０１１００（Ｂ）＝４４であるので、オフセット電圧（補正値）は、０．３００／４４＝０．００６８２（Ｖ）となる。
【００５０】
補正・変換部１２３は、上記オフセット電圧（補正値）を用いて、温度情報を補正し、補正した温度情報から体温データを取得する。なお、補正・変換部１２３により取得された体温データは、提示部１２４に出力される。
【００５１】
提示部１２４は、補正・変換部１２３により得られた体温データを提示する。その際に、提示部１２４は、温度センサ１１１Ａ（ｃｈ１）により計測された体温、及び温度センサ１１１Ｂ（ｃｈ２）により計測された体温をそれぞれ表示する。すなわち、提示部１２４は、請求の範囲に記載の提示手段として機能する。なお、提示部１２４としては、例えば、液晶ディスプレイ（ＬＣＤ）などが好適に用いられる。
【００５２】
次に、図３を参照しつつ、生体情報計測システム１（生体情報取得装置１１及び生体情報提示装置１２）の動作について説明する。図３は、生体情報計測システム１による生体情報（体温）計測処理の処理手順を示すフローチャートである。
【００５３】
まず、生体情報取得装置１１では、ステップＳ１００において、温度センサ１１１Ａ，１１１Ｂから入力される検出信号（検出電圧）がＡＤ変換され、温度情報が取得される。そして、ステップＳ１０２において、ステップＳ１００で取得された温度情報が、無線通信モジュール１１２２から、生体情報提示装置１２に送信される。
【００５４】
一方、生体情報提示装置１２では、ステップＳ１１０において、生体情報取得装置１１から送信された温度情報が受信される。続いて、ステップＳ１１２では、生体情報取得装置１１を構成する生体センサ部１１１に印刷されている表記１１１２（ＱＲコード（登録商標））が読み取られ、該コードから、温度センサ１１１Ａ，１１１Ｂそれぞれの補正情報が取得される。なお、補正情報の詳細については上述したとおりであるので、ここでは詳細な説明を省略する。
【００５５】
次に、ステップＳ１１４では、ステップＳ１１０で受信された温度情報が、ステップＳ１１２で取得された補正情報で補正されるとともに、補正後の温度情報から変換された体温データが取得される。
【００５６】
そして、ステップＳ１１６において、ステップＳ１１４で取得された体温データが、例えばＬＣＤ等に表示（提示）される。
【００５７】
以上、詳細に説明したように、本実施形態によれば、生体情報計測システム１が、生体情報取得装置１１と、生体情報取得装置１１から送信される温度情報を処理して提示する生体情報提示装置１２とを備えて構成されている。また、生体情報取得装置１１が、本体部１１２と、温度情報を検出する温度センサ１１１Ａ，１１１Ｂを有し、本体部１１２と分離して取替可能に構成された生体センサ部１１１とを備えている。さらに、生体センサ部１１１が、温度センサ１１１Ａ，１１１Ｂの個体ばらつきを補正する補正情報を含む表記１１１２を有し、本体部１１２が、温度センサ１１１Ａ，１１１Ｂにより検出された温度情報を送信する無線通信モジュール１１２２有している。一方、生体情報提示装置１２は、補正情報を含む表記１１１２を読取り補正情報を取得する取得部１２１と、温度情報を受信する無線通信モジュール１２２と、受信された温度情報を補正情報に基づいて補正する補正・変換部１２３と、補正後の温度情報を提示する提示部１２４とを備えている。
【００５８】
そのため、表記１１１２を読取ることにより、温度センサ１１１Ａ，１１１Ｂの個体ばらつきを補正する補正情報を得ることができる。そして、温度情報を受信するとともに、該温度情報を、上記補正情報を用いて補正することにより、個体ばらつきが除去された温度情報を得ることができる。このように、本体部１１２と分離して取替可能に構成された生体センサ部１１１に、補正情報を含む表記１１１２を付すことにより（すなわち、補正情報を記憶するためのメモリ等を備えることなく）、取替えられる生体センサ部１１１（温度センサ１１１Ａ，１１１Ｂ）の個体ばらつきを補正することが可能となる。その結果、取替可能な生体センサ部１１１のコストを増大させることなく、取替えられた生体センサ部１１１（温度センサ１１１Ａ，１１１Ｂ）の個体ばらつきを補正して、精度よく生体の温度（体温）を計測することが可能となる。
【００５９】
（第２実施形態）
上記第１実施形態では、生体センサとして温度センサ１１１Ａ，１１１Ｂを用い、使用者の体温を計測したが、温度センサ１１１Ａ，１１１Ｂに代えて、例えば、グルコースセンサを用い、使用者のグルコース値を計測する構成とすることもできる。
【００６０】
そこで、次に、図４を用いて、第２実施形態に係る生体情報計測システム２について説明する。ここでは、上述した第１実施形態と同一・同様な構成については説明を簡略化又は省略し、異なる点を主に説明する。図４は、生体情報計測システム２の全体構成を示すブロック図である。なお、図４において第１実施形態と同一又は同等の構成要素については同一の符号が付されている。
【００６１】
生体情報計測システム２は、生体情報取得装置２１の生体センサ部２１１が、温度センサ１１１Ａ，１１１Ｂに代えて、グルコースセンサ２１１Ａ，２１１Ｂを備えている点で、上述した第１実施形態に係る生体情報計測システム１と異なっている。また、生体情報計測システム２は、生体情報提示装置２２が、補正・変換部１２３に代えて、補正・変換部２２３を備えている点で、上述した第１実施形態に係る生体情報計測システム１と異なっている。なお、その他の構成は、上述した生体情報計測システム１と同一又は同様であるので、ここでは詳細な説明を省略する。
【００６２】
グルコースセンサ２１１Ａ，２１１Ｂは、例えば、血液などの生体中のグルコース（ブドウ糖）濃度を測定する。グルコースセンサ２１１Ａ，２１１Ｂは、例えば、白金と銀とからなる２極ポーラロ形過酸化水素電極と、グルコースの酸化反応を触媒する酵素であるグルコース・オキシターゼを親水性有機膜上に固定した酸素膜とから構成されている。なお、グルコースセンサ２１１Ａ，２１１Ｂは電流出力であるので、出力電流が電圧に変換された後、ＡＤコンバータ１１２Ａ，１１２Ｂに入力される。
【００６３】
表記２１１２に含まれる補正情報には、上述した例と同様にして、各グルコースセンサ２１１Ａ，２１１Ｂの個別ばらつき（例えばオフセット値）を補正する情報を任意に設定することができる。その他の構成は、上述した生体情報取得装置１１と同一又は同様であるので、ここでは詳細な説明を省略する。
【００６４】
一方、生体情報提示装置２２を構成する補正・変換部２２３は、無線通信モジュール１２２により受信されたグルコース情報（生体情報）を、取得部１２１により取得された補正情報に基づいて補正し、補正後のグルコース情報を取得し、該グルコース情報（電圧情報）をグルコースデータ（グルコース値）に変換する。なお、その他の構成は、上述した生体情報提示装置１２と同一又は同様であるので、ここでは詳細な説明を省略する。
【００６５】
本実施形態によれば、生体センサとして、グルコースセンサ２１１Ａ，２１１Ｂが用いられるため、グルコースセンサ２１１Ａ，２１１Ｂが取り付けられた生体センサ部２１１を交換可能としつつ、交換されたグルコースセンサ２１１Ａ，２１１Ｂの個体ばらつきを補正して、グルコース値を精度よく取得することが可能となる。
【００６６】
（第３実施形態）
上記第１実施形態では、２個の温度センサ１１１Ａ，１１１Ｂそれぞれの検出値（温度情報）を補正したが、複数の温度センサの検出値（温度情報）を統合して（平均化して）補正する構成とすることもできる。
【００６７】
そこで、次に、図５を用いて、第３実施形態に係る生体情報計測システム３について説明する。ここでは、上述した第１実施形態と同一・同様な構成については説明を簡略化又は省略し、異なる点を主に説明する。図５は、生体情報計測システム３の全体構成を示すブロック図である。なお、図５において第１実施形態と同一又は同等の構成要素については同一の符号が付されている。
【００６８】
生体情報計測システム３は、生体情報取得装置３１の生体センサ部３１１が、６個の温度センサ１１１Ａ，１１１Ｂ,１１１Ｃ，１１１Ｄ，１１１Ｅ，１１１Ｆを備えている点で、上述した第１実施形態に係る生体情報計測システム１と異なっている。また、生体情報取得装置３１の本体部３１２が、６個のＡＤコンバータ１１２Ａ，１１２Ｂ，１１２Ｃ，１１２Ｄ，１１２Ｅ，１１２Ｆを備えている点で、上述した第１実施形態に係る生体情報計測システム１と異なっている。なお、ＡＤコンバータへの入力チャンネルを切替えるマルチプレクサを追加することにより、ＡＤコンバータの数を削減してもよい。
【００６９】
また、生体情報計測システム３は、生体情報提示装置３２が、補正・変換部１２３に代えて、補正・変換部３２３を備えている点で、上述した第１実施形態に係る生体情報計測システム１と異なっている。
【００７０】
ここで、補正・変換部３２３は、３個の温度センサ１１１Ａ，１１１Ｂ，１１１Ｃを１セットにして、３個の温度センサ１１１Ａ，１１１Ｂ，１１１Ｃそれぞれの検出値を平均化し、その平均化した値に対して補正（オフセット補正）をかける。同様に、他の３個の温度センサ１１１Ｄ，１１１Ｅ，１１１Ｆを１セットにして、３個の温度センサ１１１Ａ，１１１Ｂ，１１１Ｃそれぞれの検出値を平均化し、その平均化した値に対して補正（オフセット補正）をかける。すなわち、６個の温度センサ１１１Ａ〜１１１Ｆから、２セット（２ｃｈ）の温度情報（体温データ）が計測される。よって、提示部１２３は、第１実施形態と同様に、２ｃｈの体温を表示する。
【００７１】
なお、この場合、表記３１１２に含まれる補正情報は、３個の温度センサ１１１Ａ，１１１Ｂ，１１１Ｃを１セットにして、当該３個の温度センサ１１１Ａ，１１１Ｂ，１１１Ｃそれぞれの補正情報（オフセット情報）を平均化した値（平均化オフセット情報）、及び、他の３個の温度センサ１１１Ｄ，１１１Ｅ，１１１Ｆを１セットにして、当該３個の温度センサ１１１Ｄ，１１１Ｅ，１１１Ｆそれぞれの補正情報（オフセット情報）を平均化した値（平均化オフセット情報）を含む。なお、補正情報（データ配列）の設定の仕方は、上述した例と同様であるので、ここでは詳細な説明を省略する。また、その他の構成は、上述した生体情報取得装置１１と同一又は同様であるので、ここでは詳細な説明を省略する。
【００７２】
本実施形態によれば、生体センサ部３１１が、複数（６個）の温度センサ１１１Ａ〜１１１Ｆを有し、表記３１１２が、複数（３個×２セット）の温度センサ１１１Ａ〜１１１Ｆそれぞれの個体ばらつきを平均化して補正する補正情報を含んでいる。そのため、複数（３個×２セット）の温度センサ１１１Ａ〜１１１Ｆにより取得された温度情報を平均化することで、例えば、突発的なノイズ入力やＡＤコンバータ１１２Ａ〜１１２Ｆによるサンプリング誤差（影響）を低減することができ、かつ、複数（３個×２セット）の温度センサ１１１Ａ〜１１１Ｆそれぞれの個体ばらつきを平均化して補正することで、より効率よく（すなわち表記３１１２に含ませる情報量を増大させることなく）、複数（３個×２セット）の温度センサ１１１Ａ〜１１１Ｆの個体ばらつきを補正することが可能となる。
【００７３】
（第４実施形態）
上記第１実施形態では、生体情報提示装置１２側で補正情報を読取るとともに、読取った補正情報を用いて、温度情報を補正し、表示したが、読取った補正情報を生体情報取得装置側に送信し、生体情報取得装置側で、温度情報を補正・変換した上で、取得した体温データを生体情報提示装置に送信し、生体情報提示装置で表示する構成としてもよい。
【００７４】
そこで、次に、図６を用いて、第４実施形態に係る生体情報計測システム４について説明する。ここでは、上述した第１実施形態と同一・同様な構成については説明を簡略化又は省略し、異なる点を主に説明する。図６は、生体情報計測システム４の全体構成を示すブロック図である。なお、図６において第１実施形態と同一又は同等の構成要素については同一の符号が付されている。
【００７５】
生体情報計測システム４は、生体情報取得装置４１の本体部４１２を構成する無線通信モジュール４１２２が、補正情報を受信する点で上述した生体情報取得装置１１（無線通信モジュール１１２２）と異なっている。また、無線通信モジュール４１２２が、補正前の温度情報に代えて、補正後の温度情報（体温データ）を生体情報提示装置４２へ送信する点で、上述した生体情報取得装置１１（無線通信モジュール１１２２）と異なっている。
【００７６】
さらに、生体情報取得装置４１の本体部４１２を構成するＭＣＵ４１２１が、補正・変換部４１２４を有している点で、上述した生体情報取得装置１１と異なっている。ここで、補正・変換部４１２４は、取得された温度情報を、無線通信モジュール４１２２により受信された補正情報に基づいて補正する。そして、補正・変換部４１２４は、取得した補正後の温度情報（電圧情報）を体温データに変換する。すなわち、補正・変換部４１２４は、請求の範囲に記載の補正手段として機能する。取得された体温データは、上述したように、無線通信モジュール４１２２によって、生体情報提示装置４２へ送信される。
【００７７】
一方、生体情報計測システム４は、生体情報提示装置４２の無線通信モジュール４２２が、補正情報を生体情報取得装置４１へ送信する点で上述した生体情報提示装置１２（無線通信モジュール１２２）と異なっている。また、無線通信モジュール４２２が、補正前の温度情報に代えて、補正後の温度情報（体温データ）を受信する点で上述した生体情報提示装置１２（無線通信モジュール１２２）と異なっている。
【００７８】
また、生体情報提示装置４２が、補正・変換部１２３を有していない点で、上述した生体情報提示装置１２と異なっている。よって、提示部１２４は、無線通信モジュール４２２で受信された体温データを表示する。なお、その他の構成は、上述した生体情報提示装置１と同一又は同様であるので、ここでは詳細な説明を省略する。
【００７９】
次に、図７を参照しつつ、生体情報計測システム４（生体情報取得装置４１及び生体情報提示装置４２）の動作について説明する。図７は、生体情報計測システム４による生体情報（体温）計測処理の処理手順を示すフローチャートである。
【００８０】
まず、生体情報提示装置４２では、ステップＳ４００において、生体情報取得装置４１を構成する生体センサ部１１１に印刷されている、表記１１１２（ＱＲコード（登録商標））が読み取られ、該コードから、温度センサ１１１Ａ，１１１Ｂそれぞれの補正情報が取得される。なお、補正情報の詳細については上述したとおりであるので、ここでは詳細な説明を省略する。続いて、ステップＳ４０２において、ステップＳ４００で取得された補正情報が、無線通信モジュール４２２から、生体情報取得装置４１に送信される。
【００８１】
一方、生体情報取得装置４１では、ステップＳ４１０において、ステップＳ４０２において、生体情報提示装置４２から送信された補正情報が受信され、記憶される。次に、ステップＳ４１２では、温度センサ１１１Ａ，１１１Ｂから入力される検出信号（検出電圧）がＡＤ変換され、温度情報が取得される。
【００８２】
続いて、ステップＳ４１４において、ステップＳ４１２で取得された温度情報が、ステップＳ４１０で取得された補正情報で補正されるとともに、補正後の温度情報から変換された体温データが取得される。そして、続くステップＳ４１６において、ステップＳ４１４で取得された体温データが、無線通信モジュール４１２２から、生体情報提示装置４２に送信される。
【００８３】
一方、生体情報提示装置４２では、ステップＳ４２０において、生体情報取得装置４１から送信された体温データが受信される。そして、ステップＳ４２２において、ステップＳ４２０で受信された体温データが、例えばＬＣＤ等に表示（提示）される。
【００８４】
本実施形態によれば、表記１１１２を読取ることにより得られた補正情報が生体情報取得装置４１に送信されることにより、生体情報取得装置４１側で個体ばらつきが補正（除去）された温度情報を得ることができる。この場合も、本体部４１と分離して取替可能に構成された生体センサ部１１１に、補正情報を含む表記１１１２を付すことにより（すなわち、補正情報を記憶するためのメモリ等を備えることなく）、取替えられる生体センサ部１１１（温度センサ１１１Ａ，１１１Ｂ）の個体ばらつきを補正することが可能となる。その結果、取替可能な生体センサ部１１１のコストを増大させることなく、取替えられた生体センサ部１１１（温度センサ１１１Ａ，１１１Ｂ）の個体ばらつきを補正して、精度よく温度情報（体温）を計測することが可能となる。
【００８５】
以上、本発明の実施の形態について説明したが、本発明は、上記実施形態に限定されるものではなく種々の変形が可能である。例えば、上記実施形態では、生体センサとして、温度センサ１１１Ａ〜１１１Ｆやグルコースセンサ２１１Ａ，２１１Ｂを用いたが、これらのセンサに代えて、他の生体センサを用いることもできる。また、用いる温度センサの数は上記実施形態には限られない。
【００８６】
また、上記実施形態では、温度センサ１１１Ａ〜１１１Ｆやグルコースセンサ２１１Ａ，２１１Ｂのオフセットを補正したが、用いるセンサに応じて、他の特性（オフセット以外の特性）を補正する構成としてもよい。
【００８７】
さらに、上記実施形態では、温度情報等の情報を無線を用いて送受信したが、有線で送受信する構成としてもよい。
【符号の説明】
【００８８】
１，２，３，４  生体情報計測システム
１１，２１，３１，４１  生体情報取得装置
１２，２２，３２，４２  生体情報提示装置
１１１，２１１，３１１  生体センサ部
１１２，２１２，３１２，４１２  本体部
１２１  取得部
１２２，４２２  無線通信モジュール
１２３，２２３，３２３  補正・変換部
１２４  提示部
１１１Ａ，１１１Ｂ，１１１Ｃ，１１１Ｄ，１１１Ｅ，１１１Ｆ  温度センサ
２１１Ａ，２１１Ｂ  グルコースセンサ
１１１２，２１１２，３１１２  表記
１１２１，２１２１，３１２１，４１２１  ＭＣＵ
１１２２，４１２２  無線通信モジュール
１１２３  バッテリ
４１２４  補正・変換部
【図１】
0006721037.tif 000002
【図２】
0006721037.tif 000003
【図３】
0006721037.tif 000004
【図４】
0006721037.tif 000005
【図５】
0006721037.tif 000006
【図６】
0006721037.tif 000007
【図７】
0006721037.tif 000008